(57)【要約】【課題】マルチパス環境下において受信したＯＦＤＭシンボル内の複数のサブキャリア周波数にマッピングされたパイロットシンボルのパワー測定を行うこと。【解決手段】マルチパス環境下におけるＯＦＤＭシンボル内の複数のサブキャリアにマッピングされたパイロットシンボルの送信側から受信側に至る通信路の影響を表す複素ベクトルに対して逆離散フーリエ変換処理を行うＩＤＦＴ部１３と、逆離散フーリエ変換処理の結果得られるパスタイミング毎のピークレベル信号に対し、このピークレベル信号を中心とする所定の時間領域以外の時間領域のレベル信号については零レベルとするマスク部１４と、パスタイミングを始点として所定の時間領域のレベル信号に対して離散フーリエ変換処理を行うＤＦＴ部１５と、を有するパイロットシンボルパワー測定装置１を構成する。【選択図】図１
2011142447.tif 000002
【特許請求の範囲】
【請求項１】
マルチパス環境下におけるＯＦＤＭシンボル内の複数のサブキャリアにマッピングされたパイロットシンボルの送信側から受信側に至る通信路の影響を表す複素ベクトルに対して逆離散フーリエ変換処理を行う逆離散フーリエ変換部と、
上記逆離散フーリエ変換処理の結果得られるパスタイミング毎のピークレベル信号に対し、このピークレベル信号を中心とする所定の時間領域以外の時間領域のレベル信号については零レベルとするマスク処理部と、
上記パスタイミングを始点として上記所定の時間領域のレベル信号に対して離散フーリエ変換処理を行う離散フーリエ変換部と、
を有する、
ことを特徴とするパイロットシンボルパワー測定装置。
【請求項２】
請求項１記載のパイロットシンボルパワー測定装置であって、
前記マスク処理部は、複数の前記パスタイミングに対応して並列に複数設けられる、
ことを特徴とするパイロットシンボルパワー測定装置。
【請求項３】
ＯＦＤＭ無線通信システムにおいて通信路の品質を評価するパイロットシンボルパワー測定装置が行うパイロットシンボルパワー測定方法において、
マルチパス環境下におけるＯＦＤＭシンボル内の複数のサブキャリアにマッピングされたパイロットシンボルの送信側から受信側に至る通信路の影響を表す複素ベクトルに対して逆離散フーリエ変換処理を行う逆離散フーリエ変換ステップと、
上記逆離散フーリエ変換処理の結果得られるパスタイミング毎のピークレベル信号に対し、このピークレベル信号を中心とする所定の時間領域以外の時間領域のレベル信号については零レベルとするマスク処理ステップと、
上記パスタイミングを始点として上記所定の時間領域のレベル信号に対して離散フーリエ変換処理を行う離散フーリエ変換ステップと、
を有する、
ことを特徴とするパイロットシンボルパワー測定方法。
【請求項４】
請求項３記載のパイロットシンボルパワー測定方法であって、
前記マスク処理ステップの処理は、複数の前記パスタイミングに対応して並列に行われる、
ことを特徴とするパイロットシンボルパワー測定方法。
【請求項５】
情報処理装置にインストールすることにより、その情報処理装置に、
ＯＦＤＭ無線通信システムにおいて通信路の品質を評価するパイロットシンボルパワー測定装置の機能を実現させるプログラムにおいて、
マルチパス環境下におけるＯＦＤＭシンボル内の複数のサブキャリアにマッピングされたパイロットシンボルの送信側から受信側に至る通信路の影響を表す複素ベクトルに対して逆離散フーリエ変換処理を行う逆離散フーリエ変換部に相応する機能と、
上記逆離散フーリエ変換処理の結果得られるパスタイミング毎のピークレベル信号に対し、このピークレベル信号を中心とする所定の時間領域以外の時間領域のレベル信号については零レベルとするマスク処理部に相応する機能と、
上記パスタイミングを始点として上記所定の時間領域のレベル信号に対して離散フーリエ変換処理を行う離散フーリエ変換部に相応する機能と、
を上記情報処理装置に実現させる、
ことを特徴とするプログラム。
【発明の詳細な説明】
【技術分野】
【０００１】
本発明は、パイロットシンボルパワー測定装置、パイロットシンボルパワー測定方法およびプログラムに関する。
【背景技術】
【０００２】
ＯＦＤＭ(Orthogonal Frequency Division Multiplex)無線受信装置での通信路の品質を評価するには、受信ＯＦＤＭシンボル内の複数サブキャリア周波数にマッピングされた受信パイロットシンボルのパワー測定を行うことが一般的である（たとえば特許文献１参照）。この測定結果は、ＯＦＤＭ無線受信装置の上位シーケンスに報告される。
【０００３】
図９は、ＯＦＤＭで用いる通信用フレーム構造を示す図である。フレーム５０は、ＯＦＤＭシンボル群で構成され、繰り返し送信される。なお、図９では、縦方向が周波数成分であり、横方向が時間成分である。フレーム５０の先頭に同期用シンボル５１が配置され、続いて伝搬路推定用のパイロットシンボル５２が配置され、さらに続いてデータシンボル５３が配置される。
【０００４】
同期用シンボル５１は、受信時にフレーム先頭であることを識別するために使用される。同期用シンボル５１は、一般的には時間軸方向に特徴がある信号が使用される。ＯＦＤＭ信号以外の信号でも使用可能であるため、詳細は省略する。
【０００５】
このような受信パイロットシンボルパワーの測定には、図１０に示すようなパイロットシンボルパワー測定装置６０が用いられる。図１０のパイロットシンボルパワー測定装置６０は、受信部６１、ＤＦＴ（離散フーリエ変換：Discrete Fourier Transform）部６２、複素乗算部６３、平均化部６４、パワー測定部６５から構成される。
【０００６】
受信部６１は、電波を受信してアナログのベースバンド信号に変換する。さらに受信部６１は、アナログのベースバンド信号をデジタル信号に変換する。さらに受信部６１は、フレーム先頭の同期用シンボル５１を利用してフレーム同期をかけて以降のＯＦＤＭ信号のフレーム５０からパイロットシンボル５２およびデータシンボル５３をそれぞれ抽出する。
【０００７】
ＤＦＴ部６２は、受信部６１が受信したＯＦＤＭ信号からＤＦＴ処理（すなわち周波数解析処理）によりＯＦＤＭシンボル内の複数のサブキャリア周波数にマッピングされたパイロットシンボル５２を取り出す。ＤＦＴ部６２によって取り出されたパイロットシンボル５２の例を図１１に示す。図１１は、横軸にＤＦＴポイント（周波数）をとり、縦軸にレベル（電力強度）をとる。図１１では、パイロットシンボル５２がＤＦＴ処理の結果、複数のサブキャリア周波数ａ〜ｎに分離されている。
【０００８】
複素乗算部６３は、受信したパイロットシンボル５２を送信時に使用したパイロットシンボルパターンで複素乗算する。これにより、送信側から受信側に至る伝搬路情報としての複素ベクトルが得られる。
【０００９】
平均化部６４は、複素乗算部６３から出力される複数の複素ベクトルの平均をとる。これにより、複素ベクトルにノイズ成分が含まれていた場合、ノイズ成分についても平均化される。したがって、複素ベクトルに含まれるノイズ成分を低減させることができる。
【００１０】
パワー測定部６５は、平均化部６４から出力されるノイズ成分が低減された複素ベクトルの平均に基づいてパイロットシンボル５２のパワー測定を行う。
【００１１】
このとき、たとえば送信側からインパルスδ（ｎ）＝１（ｎ＝０のとき）、δ（ｎ）＝０（ｎ≠０のとき）を送信する場合を考える（ただしｎは整数）。このインパルスδ（ｎ）＝１、δ（ｎ）＝０は、不図示の送信装置によってＩＤＦＴ（逆離散フーリエ変換：Inverse Discrete Fourier Transform）処理されてＯＦＤＭ信号として送信される。
【００１２】
受信部６１で受信したＯＦＤＭ信号のインパルスδ（ｎ）＝１、δ（ｎ）＝０をＤＦＴ部６２によってＤＦＴ処理して周波数成分に分解する。これにより、サブキャリア周波数ｋの成分は、Σδ（ｎ）ｅｘｐ（ｊ２πｎｋ／Ｎ）＝１＋ｊ０となる（ただしｊは虚数）。このことは、すなわちインパルスδ（ｎ）＝１、δ（ｎ）＝０は、各サブキャリア周波数の複素シンボルが１＋ｊ０であるものをＯＦＤＭ変調したものと同じになる。
【００１３】
複素乗算部６３の複素乗算結果である複素ベクトルは通信路が理想的であれば、全て実軸上のベクトルＡ＋ｊ０（Ａ＞０）となる。この複素ベクトルの例を図１２に示す。図１２に示すように、複素乗算部６３の複素乗算結果である複素ベクトルは実部上のベクトルＡのみとなる。
【００１４】
この複素ベクトルはインパルスが通信路を通ってきたことの影響（伝搬路情報）を表している。そこで、ノイズ成分を低減するために平均化部６４で複素ベクトルの平均をとった後、パワー測定部６５でパワー測定を行うことができる。
【先行技術文献】
【特許文献】
【００１５】
【特許文献１】Ｗ０２００５／０７８９４９
【発明の概要】
【発明が解決しようとする課題】
【００１６】
前述した図１０に示すパイロットシンボルパワー測定装置６０では、マルチパス環境下において平均化部６４による平均化処理ができない。この課題について以下に説明する。
【００１７】
たとえば等レベルな２つのパスの場合を例にとり説明する。送信側からインパルスを送信し、パス１、パス２（パス１、パス２はそれぞれのパスの通る信号には外乱を与えない通信路とする。）を通ってきた受信信号Ｒ（ｎ）は、
Ｒ（ｎ）＝δ（ｎ）＋δ（ｎ−Ｍ）
のように表される。第１項（δ（ｎ））がパス１の信号を表し、第２項（δ（ｎ−Ｍ））がパス２の信号を表している。また、Ｍはパス１に対するパス２の相対的な遅延を表す。
【００１８】
このようなマルチパス環境下において、受信部６１が受信したＯＦＤＭ信号に対してＤＦＴ部６２でＤＦＴ処理を行うと、サブキャリア周波数ｋの成分は、
ΣＲ（ｎ）ｅｘｐ（ｊ２πｎｋ／Ｎ）
＝１＋ｅｘｐ（ｊ２πＭｋ／Ｎ）
＝１＋ＣＯＳ（２πＭｋ／ｎ）＋ｊＳＩＮ（ｊ２πＭｋ／Ｎ）
となる。
【００１９】
このように、サブキャリア周波数ｋに依存するＣＯＳ，ＳＩＮの項が存在するために、複素ベクトルの位相（虚部）はサブキャリア周波数間で揃っていない。この様子を図１３に示す。図１３は、上段から順に、図１１に示すサブキャリア周波数ａ，ｂ，ｃにおけるパイロットシンボル５２の複素ベクトルを示している。図１３に示すように、複素ベクトルの位相（虚部）はサブキャリア周波数ａ，ｂ，ｃ間で揃っていない。
【００２０】
このように、複素ベクトルの位相がサブキャリア周波数間で揃っていないと、複素ベクトルの平均をとっても無意味である。このためノイズ成分を除去するために平均化部６４で複素ベクトルを平均化した後、パワー測定部６５でパワー測定を行うことができない。
【００２１】
本発明は、このような背景の下に行われたものであって、マルチパス環境下において受信したＯＦＤＭシンボル内の複数のサブキャリア周波数にマッピングされたパイロットシンボルのパワー測定を行うことができるパイロットシンボルパワー測定装置、パイロットシンボルパワー測定方法およびプログラムを提供することを目的とする。
【課題を解決するための手段】
【００２２】
本発明の１つの観点は、パイロットシンボルパワー測定装置としての観点である。すなわち、本発明のパイロットシンボルパワー測定装置は、マルチパス環境下におけるＯＦＤＭシンボル内の複数のサブキャリアにマッピングされたパイロットシンボルの送信側から受信側に至る通信路の影響を表す複素ベクトルに対して逆離散フーリエ変換処理を行う逆離散フーリエ変換部と、逆離散フーリエ変換処理の結果得られるパスタイミング毎のピークレベル信号に対し、このピークレベル信号を中心とする所定の時間領域以外の時間領域のレベル信号については零レベルとするマスク処理部と、パスタイミングを始点として所定の時間領域のレベル信号に対して離散フーリエ変換処理を行う離散フーリエ変換部と、を有するものである。
【００２３】
本発明の他の観点は、パイロットシンボルパワー測定方法としての観点である。すなわち、本発明のパイロットシンボルパワー測定方法は、ＯＦＤＭ無線通信システムにおいて通信路の品質を評価するパイロットシンボルパワー測定装置が行うパイロットシンボルパワー測定方法において、マルチパス環境下におけるＯＦＤＭシンボル内の複数のサブキャリアにマッピングされたパイロットシンボルの送信側から受信側に至る通信路の影響を表す複素ベクトルに対して逆離散フーリエ変換処理を行う逆離散フーリエ変換ステップと、逆離散フーリエ変換処理の結果得られるパスタイミング毎のピークレベル信号に対し、このピークレベル信号を中心とする所定の時間領域以外の時間領域のレベル信号については零レベルとするマスク処理ステップと、パスタイミングを始点として所定の時間領域のレベル信号に対して離散フーリエ変換処理を行う離散フーリエ変換ステップと、を有するものである。
【００２４】
本発明のさらに他の観点は、プログラムとしての観点である。すなわち、本発明のプログラムは、情報処理装置にインストールすることにより、その情報処理装置に、ＯＦＤＭ無線通信システムにおいて通信路の品質を評価するパイロットシンボルパワー測定装置の機能を実現させるプログラムにおいて、マルチパス環境下におけるＯＦＤＭシンボル内の複数のサブキャリアにマッピングされたパイロットシンボルの送信側から受信側に至る通信路の影響を表す複素ベクトルに対して逆離散フーリエ変換処理を行う逆離散フーリエ変換部に相応する機能と、逆離散フーリエ変換処理の結果得られるパスタイミング毎のピークレベル信号に対し、このピークレベル信号を中心とする所定の時間領域以外の時間領域のレベル信号については零レベルとするマスク処理部に相応する機能と、パスタイミングを始点として所定の時間領域のレベル信号に対して離散フーリエ変換処理を行う離散フーリエ変換部に相応する機能と、を情報処理装置に実現させるものである。
【発明の効果】
【００２５】
本発明によれば、マルチパス環境下において受信したＯＦＤＭシンボル内の複数のサブキャリア周波数にマッピングされたパイロットシンボルのパワー測定を行うことができる。
【図面の簡単な説明】
【００２６】
【図１】本発明の実施の形態に係るパイロットシンボルパワー測定装置のブロック構成図である。
【図２】図１のＩＤＦＴ部によって生成されるインパルス応答を示す図である。
【図３】図１のマスク部におけるマスク領域を示す図である。
【図４】図１のマスク部における図３とは異なるマスク領域を示す図である。
【図５】図１の複数のマスク部におけるマスク処理を説明するための図である。
【図６】図１の複数のＤＦＴ部における離散フーリエ変換処理結果としての複素ベクトルを示す図である。
【図７】その他の実施の形態に係るパイロットシンボルパワー測定装置のブロック構成図である。
【図８】図７の制御部の動作を示すフローチャートである。
【図９】ＯＦＤＭ信号の構成を説明するための図である。
【図１０】本発明と関連のあるパイロットシンボルパワー測定装置のブロック構成図である。
【図１１】図１０のＤＦＴ部から出力される複数のサブキャリア周波数におけるパイロットシンボルの例を示す図である。
【図１２】図１０の複素乗算部から出力される複素ベクトルの例を示す図である。
【図１３】マルチパス環境下において図１０の複素乗算部から出力される複素ベクトルの例を示す図である。
【発明を実施するための形態】
【００２７】
（本発明の実施の形態に係るパイロットシンボルパワー測定装置１の構成について）
本発明の実施の形態に係るパイロットシンボルパワー測定装置１の構成について図１を参照して説明する。パイロットシンボルパワー測定装置１は、図１に示すように、受信部１０、ＤＦＴ部１１、複素乗算部１２、ＩＤＦＴ部（請求項でいう逆離散フーリエ変換部）１３、マスク部（請求項でいうマスク処理部）１４−１〜１４−Ｎ（マスク部１４−１〜１４−Ｎを区別せず説明する場合にはマスク部１４とする）、ＤＦＴ部（請求項でいう離散フーリエ変換部）１５−１〜１５−Ｎ（ＤＦＴ部１５−１〜１５−Ｎを区別せず説明する場合にはＤＦＴ部１５とする）、平均化部１６、パワー測定部１７から構成される。なお、受信部１０、ＤＦＴ部１１、複素乗算部１２、パワー測定部１７については図１０で説明したパイロットシンボルパワー測定装置６０における受信部６１、ＤＦＴ部６２、複素乗算部６３、パワー測定部６５と同じであるため、説明は省略する。
【００２８】
ＩＤＦＴ部１３は、複素乗算部１２から出力される複素ベクトルに対して逆離散フーリエ変換処理を行う。これにより、ＩＤＦＴ部１３は、複素ベクトルからインパルス応答を生成する。
【００２９】
マスク部１４は、ＩＤＦＴ部１３が生成したインパルス応答に対し、所定の時間領域以外の時間領域については零レベルとするマスク処理を行う。
【００３０】
ＤＦＴ部１５は、マスク部１４によってマスク処理されたインパルス応答を複素ベクトルに変換する。
【００３１】
平均化部１６は、ＤＦＴ部１５から出力される複素ベクトルに対して平均化処理を行う。
【００３２】
（パイロットシンボルパワー測定装置１の動作について）
次に、パイロットシンボルパワー測定装置１の動作について図１から図６を参照して説明する。パイロットシンボルパワー測定装置１は、図１に示す受信部１０により図９に示すＯＦＤＭ信号のフレーム５０を受信する。
【００３３】
受信部１０は、電波を受信してアナログのベースバンド信号に変換する。さらに受信部１０は、アナログのベースバンド信号をデジタル信号に変換する。さらに受信部１０は、フレーム先頭の同期用シンボル５１を利用してフレーム同期をかけて以降のＯＦＤＭ信号のフレーム５０からパイロットシンボル５２およびデータシンボル５３をそれぞれ抽出する。
【００３４】
パイロットシンボルパワー測定装置１は、パイロットシンボル５２のパワー測定を行うものである。このため、以降の説明では、パイロットシンボルパワー測定装置１におけるデータシンボル５３の処理については説明を省略する。
【００３５】
ＤＦＴ部１１は、図９に示すパイロットシンボル５２をＤＦＴ処理（すなわち周波数解析）してサブキャリア毎の信号に分離する。パイロットシンボル５２をＤＦＴ処理してサブキャリア毎の信号に分離した例は図１１で説明したとおりである。
【００３６】
複素乗算部１２は、不図示の送信装置において使用されたパイロットシンボルパターンをＤＦＴ部１１によって分離されたサブキャリア毎の信号に乗算する。これにより、送信側から受信側に至る通信路の影響を伝搬係数の振幅および位相として求めることができる。これは振幅を実数とし、位相を虚数とする複素ベクトルとして表すことができる。
【００３７】
図１１に示したサブキャリアａ，ｂ，ｃにパイロットシンボルパターンを乗算した結果の一例は図１３で説明したとおりである。図１３の例は、前述したマルチパス環境下における例であり、上段から順に、ｋ＝ａであり実部の値（振幅）が「１＋ＣＯＳ（２πＭａ／ｎ）」、虚部の値（位相）が「ＳＩＮ（ｊ２πＭａ／Ｎ）」、ｋ＝ｂであり実部の値（振幅）が「１＋ＣＯＳ（２πＭｂ／ｎ）」、虚部の値（位相）が「ＳＩＮ（ｊ２πＭｂ／Ｎ）」、ｋ＝ｃであり実部の値（振幅）が「１＋ＣＯＳ（２πＭｃ／ｎ）」、虚部の値（位相）が「ＳＩＮ（ｊ２πＭｃ／Ｎ）」である。図１３からわかるように、サブキャリア周波数ｋに依存するＣＯＳ，ＳＩＮの項があるため、複素ベクトルの位相（虚部）はサブキャリア周波数ａ，ｂ，ｃ間で揃っていない。
【００３８】
ＩＤＦＴ部１３は、図１１に示すパイロットシンボル５２のＤＦＴ処理の結果のサブキャリアａ〜ｎを図２に示すようなインパルス応答に変換する。図２の例では、サブキャリア周波数ａ，ｂのパイロットシンボル５２がＩＤＦＴ部１３の逆離散フーリエ変換処理によってインパルス応答（ａ），（ｂ）に変換されている例を示す。
【００３９】
続いて、マスク部１４は、ＩＤＦＴ部１３から出力されるインパルス応答に対し、各パスタイミングを中心にして所定の時間領域以外のレベルを零レベルにする。マスク部１４は、複数のマスク部１４−１〜１４−Ｎを有しており、図３は、マスク部１４−１のマスク領域を示し、図４は、マスク部１４−２のマスク領域を示している。
【００４０】
図３、図４に示すように、マスク部１４−１，１４−２は、それぞれ異なる時間領域をマスク領域として有する。たとえば図３では、サブキャリア周波数ａを含むパスタイミングを中心にした時間領域のレベルはそのままにし、それ以外の時間領域のレベルは零レベルとする。また、図４では、サブキャリア周波数ｂを含むパスタイミングを中心にした時間領域のレベルはそのままにし、それ以外の時間領域のレベルは零レベルとする。このようにして、マスク部１４−１〜１４−Ｎは、それぞれ異なるマスク領域を有する。
【００４１】
マスク部１４では、個々のマスク部１４−１〜１４−Ｎの出力について見た場合、単一パス環境下と同じように、単一のインパルス応答が出力される。この様子を図５に示す。ＩＤＦＴ部１３から出力されたサブキャリア周波数ａ〜ｎのインパルス応答（ａ）〜（ｎ）がマスク部１４−１〜１４−Ｎにそれぞれ入力されると、個々のマスク部１４−１〜１４−Ｎで設定されている時間領域でマスク処理される。これにより、個々のマスク部１４−１〜１４−Ｎからは単一のインパルス応答（ａ）〜（ｎ）がそれぞれ出力される。
【００４２】
ＤＦＴ部１５は、複数のＤＦＴ部１５−１〜１５−Ｎを有する。個々のＤＦＴ部１５−１〜１５−Ｎが個々のマスク部１４−１〜１４−Ｎから出力されたインパルス応答（ａ）〜（ｎ）に対して個々のパスタイミングを始点としてＤＦＴ処理（離散フーリエ変換処理）を行う。これにより、個々のＤＦＴ部１５−１〜１５−Ｎについてみた場合、サブキャリア周波数ａ〜ｎのパイロットシンボル５２は、実軸上のベクトルＡ＋ｊ０，Ｂ＋ｊ０，…，Ｎ＋ｊ０となる（ただしｊは虚数）。この様子を図６に示す。図６に示すように、サブキャリア周波数ａ〜ｎのパイロットシンボル５２は、実軸上のベクトルＡ，Ｂ，…，Ｎになっている。
【００４３】
この複素ベクトルはインパルスが通信路を通ってきたことの影響（伝搬路情報）を表している。そこで、ノイズ成分を低減するために平均化部１６で複素ベクトルの平均をとった後、パワー測定部１７でパワー測定を行うことができる。
【００４４】
（本発明の実施の形態に係る効果について）
パイロットシンボルパワー測定装置１は、マルチパス環境下における通信路の影響を表す複素ベクトルに対して逆離散フーリエ変換処理を行い、その結果得られるパスタイミング毎のピークレベル信号（インパルス応答）に対し、このピークレベル信号を中心とする所定の時間領域以外の時間領域のレベル信号については零レベルとし、パスタイミングを始点として所定の時間領域のレベル信号に対して離散フーリエ変換処理を行う。
【００４５】
これにより、パイロットシンボルパワー測定装置１は、マルチパス環境下において受信したＯＦＤＭシンボル内の複数のサブキャリア周波数にマッピングされたパイロットシンボルのパワー測定を行うことができる。
【００４６】
このときに、パイロットシンボルパワー測定装置１は、マスク部１４によるマスク処理によるノイズの低減を行ない、その後に、平均化部１６において平均化によるノイズの低減を行うことができる。このようにパイロットシンボルパワー測定装置１は、２重にノイズの低減を行うことができるため、マスク処理または平均化のいずれか一方によるノイズの低減と比較するとさらにノイズを低減させることができる。
【００４７】
また、マスク処理を、複数のパスタイミングに対応して並列に行うことができるので、複数のマスク領域の設定を、時間を要さずに行うことができ、マスク処理の高速化を図ることができる。これはマスク処理後のＤＦＴ処理（離散フーリエ変換処理）についても同様である。
【００４８】
（その他の実施の形態）
本発明の実施の形態はその要旨を逸脱しない限り、様々に変更が可能である。たとえば、図１のパイロットシンボルパワー測定装置１では、複数のマスク部１４−１〜１４−Ｎおよび複数のＤＦＴ部１５−１〜１５−Ｎを有する。これに対し、図７に示すように、１つのマスク部（請求項でいうマスク処理部）１４Ａおよび１つのＤＦＴ部（請求項でいう離散フーリエ変換部）１５Ａを有し、制御部（請求項でいうマスク処理部の一部、請求項でいう離散フーリエ変換部の一部）１８によってソフトウェア的に図１のマスク部１４−１〜１４−ＮおよびＤＦＴ部１５−１〜１５−Ｎと等価な動作を行うようにしたパイロットシンボルパワー測定装置１Ａを構成してもよい。
【００４９】
制御部１８にはパス情報が入力され、制御部１８は、パス情報に基づいてマスク部１４ＡおよびＤＦＴ部１５Ａの設定を変更する。制御部１８の動作を図８のフローチャートを参照して説明する。
【００５０】
ＳＴＡＲＴ：制御部１８は、パイロットシンボルパワー測定装置１Ａが起動すると、ステップＳ１の処理へ移行する。
【００５１】
ステップＳ１：制御部１８は、第１パスを処理対象として設定し（Ｎ＝１）、ステップＳ２の処理へ移行する。
【００５２】
ステップＳ２：制御部１８は、第Ｎ(＝１)パスのマスク処理を実行してステップＳ３の処理へ移行する。
【００５３】
ステップＳ３：制御部１８は、第Ｎ（＝１）パスのマスク処理が終了したか否かを判断する。すなわち、制御部１８は、第Ｎ(＝１)パスのマスク処理が終了した場合（ステップＳ３でＹｅｓ）、ステップＳ４の処理へ移行する。一方、制御部１８は、第Ｎ（＝１）パスのマスク処理が終了していない場合（ステップＳ３でＮｏ）ステップＳ２の処理へ戻る。
【００５４】
ステップＳ４：制御部１８は、第Ｎ（＝１）パスのＤＦＴ（離散フーリエ変換）処理を実行してステップＳ５の処理へ移行する。
【００５５】
ステップＳ５：制御部１８は、第Ｎ（＝１）パスのＤＦＴ処理が終了したか否かを判断する。すなわち、制御部１８は、第Ｎ(＝１)パスのＤＦＴ処理が終了した場合（ステップＳ５でＹｅｓ）、ステップＳ６の処理へ移行する。一方、制御部１８は、第Ｎ（＝１）パスのＤＦＴ処理が終了していない場合（ステップＳ５でＮｏ）ステップＳ４の処理へ戻る。
【００５６】
ステップＳ６：制御部１８は、Ｎが最大値か否かを判断する。すなわち、制御部１８は、Ｎが最大値である場合（ステップＳ６でＹｅｓ）、処理を終了する（ＥＮＤ）。一方、制御部１８は、Ｎが最大値でない場合（ステップＳ６でＮｏ）、ステップＳ７の処理へ移行する。
【００５７】
ステップＳ７：制御部１８は、次のパス（Ｎ＋１）（＝２）を処理対象としてステップＳ２の処理へ戻る。
【００５８】
これによれば、複数のマスク部１４−１〜１４−ＮおよびＤＦＴ部１５−１〜１５−Ｎを備えることなく、パイロットシンボルパワー測定装置１と比較して少ない構成要素である１つのマスク部１４ＡおよびＤＦＴ部１５Ａおよび制御部１８によってパイロットシンボルパワー測定装置１Ａを構成することができる。
【００５９】
（プログラムの実施の形態）
また、パイロットシンボルパワー測定装置１，１Ａの各部は、所定のプログラムにより動作する汎用の情報処理装置によって構成されてもよい。例えば、汎用の情報処理装置は、メモリ、ＣＰＵ(Central Processing Unit)、入出力ポートなどを有する。汎用の情報処理装置のＣＰＵは、メモリなどから所定のプログラムとして制御プログラムを読み込んで実行する。これにより、汎用の情報処理装置には、パイロットシンボルパワー測定装置１，１Ａの各部の機能が実現される。また、その他の機能についてもソフトウェアにより実現可能な機能については汎用の情報処理装置とプログラムとによって実現することができる。なお、上述したＣＰＵの代わりにＡＳＩＣ(Application Specific Integrated Circuit)、マイクロプロセッサ（マイクロコンピュータ）などを用いてもよい。
【００６０】
なお、汎用の情報処理装置が実行する制御プログラムは、パイロットシンボルパワー測定装置１，１Ａの出荷前に、汎用の情報処理装置のメモリなどに記憶されたものであっても、パイロットシンボルパワー測定装置１，１Ａの出荷後に、汎用の情報処理装置のメモリなどに記憶されたものであってもよい。また、制御プログラムの一部が、パイロットシンボルパワー測定装置１，１Ａの出荷後に、汎用の情報処理装置のメモリなどに記憶されたものであってもよい。パイロットシンボルパワー測定装置１，１Ａの出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００６１】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【００６２】
このように、汎用の情報処理装置とプログラムによってパイロットシンボルパワー測定装置１，１Ａの機能を実現することにより、大量生産や仕様変更（または設計変更）に対して柔軟に対応可能となる。
【符号の説明】
【００６３】
１，１Ａ…パイロットシンボルパワー測定装置、１３…ＩＤＦＴ部（逆離散フーリエ変換部）、１４，１４Ａ…マスク部（マスク処理部）、１５，１５Ａ…ＤＦＴ部（離散フーリエ変換部）、１８…制御部（マスク処理部の一部、離散フーリエ変換部の一部）
【図１】
2011142447.tif 000003
【図２】
2011142447.tif 000004
【図３】
2011142447.tif 000005
【図４】
2011142447.tif 000006
【図５】
2011142447.tif 000007
【図６】
2011142447.tif 000008
【図７】
2011142447.tif 000009
【図８】
2011142447.tif 000010
【図９】
2011142447.tif 000011
【図１０】
2011142447.tif 000012
【図１１】
2011142447.tif 000013
【図１２】
2011142447.tif 000014
【図１３】
2011142447.tif 000015